(57)【要約】【課題】最冷点温度の上昇を抑制し、無電極放電ランプの発光効率の低下を防ぐこと。【解決手段】本発明の照明器具は、バルブ３を有する無電極放電ランプ１を略気密に収納する筐体２と、バルブ３に近接して配置される誘導コイル（図示せず）と備える。バルブ３は、透光性材料によって中空気密に形成され希ガス及び水銀が封入されており、バルブ３の外周面上で最も温度の低い最冷点部６を備える。そして、筐体２内の最冷点部６が位置する空間には、筐体２の外部に貫通してなる通気部１５が設けられている。因って、通気部１５を介して最冷点部６の熱を筐体２の外部に放熱させて、最冷点温度の上昇を抑制することができる。【選択図】図１
2009301900.tif 000002
【特許請求の範囲】
【請求項１】
透光性材料によって中空気密に形成され希ガス及び水銀が封入されたバルブを有し、前
記バルブの外周面上で最も温度の低い最冷点部を備えた無電極放電ランプを略気密に収納
する筐体と、前記バルブに近接して配置される誘導コイルとを備え、前記筐体内の前記最
冷点部が位置する空間の何れかの箇所には、前記筐体の外部に貫通してなる通気部が設け
られていることを特徴とする照明器具。
【請求項２】
前記通気部の直径は、前記バルブの最大径より小さいことを特徴とする請求項１記載の
照明器具。
【請求項３】
前記通気部は、複数の通気孔から構成されていることを特徴とする請求項１記載の照明
器具。
【請求項４】
前記筐体は、前記最冷点部と対向する場所に、前記最冷点部が位置する空間と、前記バ
ルブが収納される空間とを分離する分離体を備え、且つ前記分離体には、前記最冷点部が
挿通される貫通孔が設けられていることを特徴とする請求項１〜３の何れか１項に記載の
照明器具。
【請求項５】
前記分離体の一部或いは全部が、前記バルブから放射される光を反射する反射鏡である
ことを特徴とする請求項４記載の照明器具。
【請求項６】
前記通気部は、前記最冷点部と対向する場所に設けられ、且つ前記最冷点部は、前記通
気部を介して前記筐体の外部に突出されることを特徴とする請求項１〜５の何れか１項に
記載の照明器具。
【請求項７】
前記誘導コイルに交流電流を供給する点灯装置を備え、且つ前記点灯装置は、前記最冷
点部が位置する空間とは異なる空間に設置されていることを特徴とする請求項１〜６の何
れか１項に記載の照明器具。
【請求項８】
前記バルブの外周面に突出してなる突起部が設けられ、且つ前記突起部は、前記最冷点
部であることを特徴とする請求項１〜７の何れか１項に記載の照明器具。
【発明の詳細な説明】
【技術分野】
【０００１】
本発明は、無電極放電ランプを用いた照明器具に関するものである。
【背景技術】
【０００２】
従来より、ガラス管内に一対の電極を配した放電ランプに対して、内部に電極を持たな
い無電極放電ランプと呼ばれるものがある。一般に、無電極放電ランプは、透光性材料に
よって中空気密に形成され、内部に水銀及び希ガスが封入されたバルブからなる。前記バ
ルブに誘導コイルを近接して配置させて、前記誘導コイルに交流電流を流すと、誘導電磁
界により前記バルブ内部で放電が発生する。この放電の発生により電子が前記バルブ内部
に封入された水銀原子と衝突する。そして、水銀原子は励起状態になり、紫外線を放出さ
せて基底状態に戻る。この紫外線が前記バルブ内面に塗布されている蛍光体によって可視
光に変換される。
【０００３】
この種の放電ランプは、電極切れやエミッタ消耗による不点灯がなく、電極を有する放
電ランプに比べて非常に長寿命である。そのため、無電極放電ランプを用いた照明器具は
メンテナンスを容易に行えない場所や、信頼性の求められる場所に設置される。
【０００４】
しかし一方で、無電極放電ランプは、電極を有する放電ランプと比べて発熱量が多く、
バルブ内の温度の上昇に伴って水銀蒸気圧も上昇し、発光効率が低下するという問題があ
る。これに対して、バルブの外周面上で最も温度が低くなる最冷点部を設けて、該最冷点
部の温度を管理してバルブ内の水銀蒸気圧を抑制する無電極放電ランプがある。中でもバ
ルブの外周面の頂部やネック部に突出してなる突起部を設け、この突起部を最冷点部とし
た種々の無電極放電ランプが提供されている（例えば、特許文献１及び２参照）。
【特許文献１】特開２００１−３２５９２０号公報
【特許文献２】特開２００７−２４２５５３号公報
【発明の開示】
【発明が解決しようとする課題】
【０００５】
しかしながら、無電極放電ランプを用いた照明器具は、上述の様な場所に設置されるこ
とを考慮して、バルブの脱落若しくはバルブ破損時における破損箇所の落下を防ぐために
気密構造を持つ。その結果、最冷点部を設けた従来の無電極放電ランプは、実際に照明器
具内に収納して点灯を行うと、バルブからの光放射や発熱等によって照明器具内に熱がこ
もり、最冷点温度も上昇してしまう。そして、バルブ内の水銀蒸気圧が上昇し、発光効率
が低下してしまうという問題がある。
【０００６】
本発明は上記事由に鑑みて為されたものであり、その目的は、最冷点温度の上昇を抑制
し、無電極放電ランプの発光効率の低下を防ぐことができる照明器具を提供することにあ
る。
【課題を解決するための手段】
【０００７】
請求項１の発明は、上記目的を達成するために、透光性材料によって中空気密に形成さ
れ希ガス及び水銀が封入されたバルブを有し、前記バルブの外周面上で最も温度の低い最
冷点部を備えた無電極放電ランプを略気密に収納する筐体と、前記バルブに近接して配置
される誘導コイルとを備え、前記筐体内の前記最冷点部が位置する空間の何れかの箇所に
は、前記筐体の外部に貫通してなる通気部が設けられていることを特徴とする。
【０００８】
この発明によれば、前記筐体内の前記最冷点部が位置する空間の何れかの箇所には、前
記筐体の外部に貫通してなる通気部が設けられているので、前記通気部を介して前記最冷
点部の熱を前記筐体の外部に放熱させて、最冷点温度の上昇を抑制することができる。因
って前記バルブ内の水銀蒸気圧の上昇に伴う発光効率の低下を防ぐことができる。
【０００９】
請求項２の発明は、請求項１の発明において、前記通気部の直径は、前記バルブの最大
径より小さいことを特徴とする。
【００１０】
この発明によれば、前記筐体内で前記バルブが脱落を起こしても、前記通気部からの前
記バルブの落下を防止できる。
【００１１】
請求項３の発明は、請求項１の発明において、前記通気部は、複数の通気孔から構成さ
れていることを特徴とする。                                
【００１２】
この発明によれば、前記筐体内で前記バルブが破損を起こしても、前記通気部からの前
記バルブ破損箇所の落下を防止できる。
【００１３】
請求項４の発明は、請求項１〜３の何れか１項の発明において、前記筐体は、前記最冷
点部と対向する場所に、前記最冷点部が位置する空間と、前記バルブが収納される空間と
を分離する分離体を備え、且つ前記分離体には、前記最冷点部が挿通される貫通孔が設け
られていることを特徴とする。
【００１４】
この発明によれば、前記分離体によって、前記最冷点部を前記バルブより放射される光
や熱から隔離することができるので、最冷点温度の上昇を抑制し、前記バルブ内の水銀蒸
気圧の上昇に伴う発光効率の低下を防ぐことができる。
【００１５】
請求項５の発明は、請求項４の発明において、前記分離体の一部或いは全部が、前記バ
ルブから放射される光を反射する反射鏡であることを特徴とする。
【００１６】
この発明によれば、前記分離体の一部或いは全部が、前記バルブから放射される光を反
射する反射鏡であるので、前記分離体として前記反射鏡とは別に新たな部材を設ける必要
がなく、照明器具の部材数を減らすことができる。
【００１７】
請求項６の発明は、請求項１〜５の何れか１項の発明において、前記通気部は、前記最
冷点部と対向する場所に設けられ、且つ前記最冷点部は、前記通気部を介して前記筐体の
外部に突出されることを特徴とする。
【００１８】
この発明によれば、前記最冷点部は、前記筐体の外部に位置するので、前記無電極放電
ランプを照明器具に収納せずに点灯させたときと等価の光束特性を得ることができる。
【００１９】
請求項７の発明は、請求項１〜６の何れか１項の発明において、前記誘導コイルに交流
電流を供給する点灯装置を備え、且つ前記点灯装置は、前記最冷点部が位置する空間とは
異なる空間に設置されていることを特徴とする。
【００２０】
この発明によれば、前記最冷点部は、前記点灯装置自身より放射される熱から隔離され
るので、最冷点温度の上昇を抑制し、前記バルブ内の水銀蒸気圧の上昇に伴う発光効率の
低下を抑えることができる。
【００２１】
請求項８の発明は、請求項１〜７の何れか１項の発明において、前記バルブの外周面に
突出してなる突起部が設けられ、且つ前記突起部は、前記最冷点部であることを特徴とす
る。
【００２２】
この発明によれば、前記突起部が前記最冷点部であるので、前記貫通孔や前記通気部に
対して容易に挿通若しくは突出可能である。
【発明の効果】
【００２３】
本発明では、最冷点温度の上昇を抑制し、無電極放電ランプの発光効率の低下を防ぐこ
とができるという効果がある。
【発明を実施するための最良の形態】
【００２４】
（実施形態１）
以下、本発明の実施形態１について、図１乃至２を参照して説明する。尚、以下の説明
では、図１において上下左右方向を規定している。
【００２５】
本実施形態１の照明器具は、図１に示すように、無電極放電ランプ１を略気密に収納す
る筐体２と、無電極放電ランプ１のバルブ３に近接して配置される誘導コイル（図示せず
）とを備えている。
【００２６】
本実施形態１で使用する無電極放電ランプ１のバルブ３は、ガラス等の透光性材料によ
って中空気密に形成され、全体として電球型をしており、外殻部４と、凹部（図示せず）
と、排気細管５（図１には図示せず）とから構成される。外殻部４は、主となる発光部位
で、略球形状の球状部４ａと略円筒形状のネック部４ｂとが連通して形成されている。ネ
ック部４ｂの外周面には、係止溝（図示せず）が形成されている。前記凹部は、ネック部
４ｂの一端が開口し、外殻部４内に窪んだ円筒形状に形成されている。排気細管５は、両
端が開口した細長円筒形状に形成されている。排気細管５の一端は、前記凹部内の一端の
内底部の中心に結合され、外殻部４の内部空間と連通してなり、他端は、前記凹部の開口
側に向けて設けられている。尚、排気細管５の前記他端の開口は、バルブ３内を封止する
際に溶融させて閉じられる。そして、バルブ３内部には、水銀及び希ガス（アルゴンやク
リプトン等）が封入されている。また、バルブ３の内面には、アルミナ等の金属酸化物か
らなる保護膜（図示せず）が形成され、更に前記保護膜の上には蛍光体（図示せず）が塗
布されている。そして、バルブ３の軸方向（図１の左右方向）に対する外周面の頂部には
外側へ略円錐形状に突出してなる突起部が設けられ、前記突起部をバルブ３の外周面上で
最も温度が低くなる最冷点部６としている。尚、最冷点部６は、前記頂部以外の場所でも
よい。例えば、図２では外殻部４のネック部４ｂの外周面に、下方へ突出してなる突出部
を設けて、この突出部を最冷点部６としている。
【００２７】
筐体２は、図１及び図２に示すように、ケース８とカバー９とから構成され、内部には
カプラ１０、口金１１、支持板１２及び反射鏡１３を備え、無電極放電ランプ１を収納す
る。
【００２８】
ケース８は、矩形板を互いに複数のビスで固定することによって、下面が開口する矩形
の箱型状に形成されている。また、ケース８の上端部を、建物の天井等の造営面に取り付
ける固定部８ａとし、該固定部８ａには、ビス止め用の孔を備えた複数個の取付金具（図
示せず）が設けられている。
【００２９】
カバー９は、矩形板状に形成され、上述のケース８の開口する下面にビス止め固定され
ている。また、カバー９は、左右方向の略中心部から左端部に亘って矩形状に開口してお
り、該開口の周縁部９ａには、透明強化ガラスによって矩形板状に形成されてなるガラス
パネル１４が固定されている。そして、最冷点部６に近接するガラスパネル１４の左端部
（図１参照）には、筐体２の外部に貫通してなる円形状の通気部１５が設けられている。
但し、通気部１５の直径は、バルブ３が脱落の際に、通気部１５を通って落下しないよう
に、バルブ３の最大径より小さくする必要がある。また、図２では、最冷点部６が外殻部
４のネック部４ｂに位置するので、通気部１５はガラスパネル１４の右端部に設けられて
いる。
【００３０】
カプラ１０は、外鍔部１６と、放熱パイプ（図示せず）と、フェライトコア（図示せず
）と、前述の誘導コイルとから構成されている。外鍔部１６は、アルミ材から円板形状に
形成されている。前記放熱パイプは、両端が開口する細長円筒形状に形成された熱伝導率
の高い銅パイプである。前記フェライトコアは、ＭｎＺｎフェライト材から両端が開口す
る円筒形状に形成されている。前記放熱パイプの軸方向に対して略半分の一方側には、前
記フェライトコアが外挿されている。前記放熱パイプの他方側の端部は、外鍔部１６の水
平方向の中心部に結合されている。前記誘導コイルは、前記フェライトコアの外周面に巻
回されている。そして、前記誘導コイル及び前記フェライトコアを含む前記放熱パイプは
バルブ３の凹部の開口より挿入され、同時に前記放熱パイプの開口より排気細管５が挿入
されている。
【００３１】
口金１１は、樹脂材等から両端が開口する略円筒形状に形成され、内周面には、内側に
突出する複数の係止片（図示せず）が設けられている。口金１１の軸方向の一端側は、カ
プラ１０の外鍔部１６に結合され、他端側には、外殻部４のネック部４ｂが挿入されてい
る。そして、口金１１の複数の前記係止片を、外殻部４の係止溝（図示せず）に係合させ
ることで無電極放電ランプ１が口金１１に固定されている。
【００３２】
支持板１２は、矩形板を曲折させて断面Ｌ字型に形成されており、短手部分と長手部分
とから構成される。前記短手部分は、筐体２の左右方向の略中心部より右側で、固定部８
ａの内面に当接させて固定されている。前記長手部分の左面略中心部には、カプラ１０の
外鍔部１６が固定されており、これにより、無電極放電ランプ１が、筐体２に支持されて
いる。
【００３３】
反射鏡１３は、左反射部１７、右反射部１８、主反射部１９から構成されており、全体
として下方が開口した略半円筒形状に形成されている。左反射部１７及び右反射部１８は
略半円形状に形成されている。また、右反射部１８の中心部には、口金１１が挿通される
口金挿通孔１３ａが設けられている。主反射部１９は、左右方向の両端部周縁を、左反射
部１７及び右反射部１８の円弧部分の周縁と等しくした曲面形状に形成されている。そし
て、反射鏡１３は、前述の各反射部の下端部を、カバー９上面の周縁部９ａに沿って取り
付けることにより、筐体２に固定される。
【００３４】
以下、上述の本実施形態１の照明器具の作用について説明する。尚、無電極放電ランプ
１の発光原理については、先述の従来技術と共通のため説明を省略する。
【００３５】
本実施形態１の照明器具に無電極放電ランプ１を取付けると、図１に示すように、筐体
２内の反射鏡１３及びガラスパネル１４によって囲まれる空間に、バルブ３及び最冷点部
６が位置する。カプラ１０の誘導コイルに交流電力を供給すると、前記誘導コイル周囲に
誘導電磁界が発生し、次第にバルブ３より放射される光や熱により、反射鏡１３及びガラ
スパネル１４によって囲まれる空間の温度は上昇する。しかし、本実施形態１の照明器具
には、最冷点部６と近接するガラスパネル１４の左端部に、筐体２の外部に貫通してなる
通気部１５が設けられているので、該通気部１５を介して最冷点部６の熱を筐体２の外部
に放熱させて、最冷点温度の上昇を抑制することができる。因って、バルブ３内の水銀蒸
気圧の上昇に伴う発光効率の低下を防ぐことができる。
【００３６】
また、図２に示される本実施形態１の照明器具の場合、先述の様に、ネック部４ｂから
下方へ突出する突起部を最冷点部６とし、最冷点部６と近接するガラスパネル１４の右端
部に通気部１５が設けられている。因って、該通気部１５を介して最冷点部６の熱を筐体
２の外部に放熱させて、図１と同様の効果が得られる。
【００３７】
尚、本実施形態１の通気部１５は、１個の円形状に形成された孔であった。しかし、円
形状の他に矩形状や三角形状に形成されてもよく、更に複数の通気孔から構成されてもよ
い。但し、前記通気孔の大きさは、照明器具内に収納中のバルブ３が破損した場合、破損
箇所が前記通気孔を通って落下しない大きさにする必要がある。
【００３８】
以上説明した本実施形態１の照明器具は、筐体２内の最冷点部６が位置する空間に、筐
体２の外部に貫通してなる通気部１５が設けられているので、通気部１５を介して最冷点
部６の熱を筐体２の外部に放熱させて、最冷点温度の上昇を抑制することができる。因っ
て、バルブ３内の水銀蒸気圧の上昇に伴う発光効率の低下を防ぐことができる。
【００３９】
（実施形態２）
本実施形態２は、収納される無電極放電ランプの基本的な構成が実施形態１と共通であ
るので、共通の構成要素には、同一の符号を付して説明を省略する。尚、以下の説明では
図３において上下左右方向を規定している。
【００４０】
実施形態１の筐体２は、図１及び図２で示した様に、ケース８とカバー９とから構成さ
れ、矩形の箱型状に形成されている。しかし、他の形状を有する筐体でも同様の効果が得
られる。本実施形態２は、実施形態１の筐体２とは別の形状を有する筐体に通気部を設け
た点に特徴がある。
【００４１】
本実施形態２の筐体２０は、図３に示すように、中空の円筒形状に形成された筒部２１
と、下面が開口し略椀型に形成される反射体２２とから構成され、筒部２１の下端部と、
反射体２２の上端部とが内部で連通して結合されてなる。筒部２１の上端部には、建物の
天井等の造営面に固定する固定具２１ａが設けられている。反射体２２の前記開口の周縁
には、円形板状に形成されたガラスパネル２３が取り付けられている。また、反射体２２
の内側には、バルブ３から放射される光を反射する反射鏡２４が備えられている。反射体
２２の上端部には、外殻部４のネック部４ｂを挿通するネック挿通孔２２ａ（図３には図
示せず）が設けられている。そして、断面Ｌ字型に形成される支持板２６（図３には図示
せず）の短手部分を筒部２１内面に固定させ、長手部分を外鍔部１６に固定させることに
より、無電極放電ランプ１、カプラ１０及び口金１１が、バルブ３の頂部を下方へ向けて
支持される。最冷点部６は、バルブ３の頂部に突出した突起部であり、最冷点部６に対向
するガラスパネル２３の中心部には、通気部２５が設けられている。該通気部２５を介し
て、反射体２２及びガラスパネル２３に囲まれる空間に位置する最冷点部６の熱を筐体２
０の外部に放熱させることで実施形態１の筐体２と同様の効果が得られる。
【００４２】
実際に、該筐体２０を用いた本実施形態２の照明器具と、従来の通気部２５を有さない
筐体２０を用いた照明器具とを使って最冷点部６の先端の温度測定を行った。その結果、
従来の照明器具に比べ本実施形態２の照明器具は１７℃の低減効果があった。
【００４３】
（実施形態３）
本実施形態３は、収納される無電極放電ランプの基本的な構成が実施形態１と共通であ
るので、共通の構成要素には、同一の符号を付して説明を省略する。尚、以下の説明では
図４において上下左右方向を規定している。
【００４４】
実施形態２の筐体２０に収納される無電極放電ランプ１の照射方向は下方向であった。
本実施形態３は、照射方向が上方向であり、全体として筐体２０と略同形状に形成された
筐体に通気部を設けた点に特徴がある。
【００４５】
筐体３０は、図４に示すように、中空の円筒形状に形成された筒部３１と、上面が開口
し略椀型に形成される反射体３２とから構成される。そして、筒部３１の上端部と、反射
体３２の下端部とが内部で連通して結合されてなる。反射体３２の前記開口の周縁には、
円形状に形成されたガラスパネル３３が取り付けられている。また、反射体３２の内側に
は、バルブ３から放射される光を反射する反射鏡３４が備えられている。反射体３２の下
端部には、外殻部４のネック部４ｂを挿通するネック挿通孔３２ａ（図４には図示せず）
が設けられている。そして、断面Ｌ字型に形成される支持板３６の短手部分を筒部３１内
面に固定させ、長手部分を外鍔部１６に固定させることによって、無電極放電ランプ１、
カプラ１０及び口金１１が、バルブ３の頂部を上方へ向けて収納されている。但し、該無
電極放電ランプ１は、排気細管５を外鍔部１６及び支持板３６より下方へ突出させて、排
気細管５の下方先端を最冷点部６としている。そして、最冷点部６に対向する筒部３１の
下端部中心に、通気部３５が設けられている。該通気部３５を介して、筒部３１内部に囲
まれる空間に位置する最冷点部３５の熱を筐体３０の外部に放熱させることで、実施形態
１の筐体２や実施形態２の筐体２０と同様の効果が得られる。
【００４６】
（実施形態４）
本実施形態４は、基本的な構成が実施形態１と共通であるので、共通の構成要素には、
同一の符号を付して説明を省略する。
【００４７】
本実施形態４の照明器具は、最冷点部６と対向する場所に、最冷点部６が位置する空間
とバルブ３が収納される空間とを分離する分離体４０を備える点に特徴がある。更に分離
体４０には、最冷点部６が挿通される貫通孔４１が設けられている。
【００４８】
本実施形態４の照明器具は、図５に示すように、筐体２を備え、該筐体２は、バルブ３
頂部の突起部を最冷点部６とする無電極放電ランプ１を収納する。本実施形態４の分離体
４０は、最冷点部６と対向する反射鏡１３であり、貫通孔４１が、反射鏡１３の左反射部
１７の中心部に設けられている。そして、最冷点部６である突起部が、貫通孔４１に挿通
されており、バルブ３が収納される空間と異なる空間に位置する。つまり、最冷点部６は
反射鏡１３を介してバルブ３より放射される光や熱から隔離されている。因って、最冷点
温度の上昇を抑制し、バルブ３内の水銀蒸気圧の上昇に伴う発光効率の低下を防ぐことが
できる。また、実施形態１の通気部１５が、左反射鏡１７より左方向側のカバー９に設け
られており、本実施形態４の分離体４０と合わせて実施すれば、より効果的に最冷点温度
の上昇を抑制することができる。尚、上述の様に反射鏡１３を分離体４０とすることで、
分離体４０を新たに設ける必要がなく、照明器具の部材数を減らすことができる。
【００４９】
実際に、該筐体２を用いた本実施形態４の照明器具と、従来の通気部１５及び分離体４
０を有さない筐体２を用いた照明器具とを使って、最冷点部６の先端の温度測定を行った
。その結果、従来の照明器具に比べ、本実施形態４の照明器具は２４℃の低減効果があっ
た。
【００５０】
（実施形態５）
本実施形態５は、基本的な構成が実施形態４と共通であるので、共通の構成要素には、
同一の符号を付して説明を省略する。
【００５１】
実施形態４の最冷点部６は、バルブ３頂部の突起部であった。これに対して、本実施形
態５は、実施形態４の最冷点部６をネック部４ｂに変えた点に特徴がある。
【００５２】
本実施形態５の照明器具は、図６に示すように、筐体２を備え、該筐体２は、ネック部
４ｂを最冷点部６とする無電極放電ランプ１を収納する。本実施形態５の分離体４０は、
最冷点部６と対向する反射鏡１３であり、貫通孔４１が、図５の口金挿通孔１３ａと同じ
右反射部１８の中心部に設けられている。但し、貫通孔４１の直径は、最冷点部６である
ネック部４ｂの外径と等しくしている。そして、最冷点部６が、貫通孔４１に挿通されて
おり、バルブ３が収納される空間と異なる空間に位置する。つまり、最冷点部６は、反射
鏡１３を介してバルブ３より放射される光や熱から隔離されている。因って、実施形態４
と同様の効果が得られる。また、実施形態１の通気部１５が、右反射部１８より右方向側
のカバー９に設けられており、より効果的に最冷点温度の上昇を抑制することができる。
【００５３】
（実施形態６）
本実施形態６は、基本的な構成が実施形態４と共通であるので、共通の構成要素には、
同一の符号を付して説明を省略する。
【００５４】
本実施形態６は、実施形態４の最冷点部６を排気細管５先端に変えた点に特徴がある。
【００５５】
本実施形態６の照明器具は、図７に示すように、筐体２を備え、該筐体２は、排気細管
５を右方向へ突出させ、その先端を最冷点部６とする無電極放電ランプ１を収納する。本
実施形態６の分離体４０は、最冷点部６と対向する支持板１２であり、貫通孔４１が、支
持板１２の中心部に設けられている。そして、最冷点部６である排気細管５先端が貫通孔
４１に挿通されている。支持板１２は、短手部分を固定部８ａに固定させる以外にも、長
手部分を上下端及び奥行き方向両端の全周縁に亘ってケース８及びカバー９に当接させて
いる。つまり、支持板１２より右方向側の空間に位置する最冷点部６は、バルブ３より放
射される光や熱から隔離されている。因って、実施形態４乃至５と同様の効果が得られる
。また、実施形態１の通気部１５が、支持板１２より右方向側のカバー９に設けられてお
り、より効果的に最冷点温度の上昇を抑制することができる。
【００５６】
（実施形態７）
本実施形態７は、基本的な構成が実施形態２と共通であるので、共通の構成要素には、
同一の符号を付して説明を省略する。
【００５７】
実施形態４〜６が、筐体２に分離体４０を備えていたのに対して、本実施形態７は、実
施形態２の筐体２０に分離体４０を備える点に特徴がある。
【００５８】
本実施形態７の照明器具は、図８に示すように、筐体２０を備え、該筐体２０は、バル
ブ３頂部の突起部を最冷点部６とする無電極放電ランプ１を収納する。本実施形態７の分
離体４０は、透光性材料によって円形板状に形成され、中心部には貫通孔４１が設けられ
ている。また分離体４０は、バルブ３とガラスパネル２３との間の、最冷点部６に対向さ
せて設けられており、全周縁に亘って反射鏡２４に当接させて、筐体２０に取り付けられ
ている。そして、最冷点部６である突起部は、貫通孔４１に挿通されており、バルブ３が
収納される空間と異なる空間に位置する。つまり、最冷点部６は、分離体４０が透光性部
材のためバルブ３より放射される光を受けるが、分離体４０を介してバルブ３より発せら
れる熱から隔離されている。因って、最冷点温度の上昇を抑制し、バルブ３内の水銀蒸気
圧の上昇に伴う発光効率の低下を防ぐことができる。また、実施形態２の通気部２５が、
最冷点部６に対向するガラスパネル２３の中心部に設けられているので、より効果的に最
冷点温度の上昇を抑制することができる。
【００５９】
（実施形態８）
本実施形態８は、基本的な構成が実施形態３と共通であるので、共通の構成要素には、
同一の符号を付して説明を省略する。
【００６０】
本実施形態８は、実施形態３の筐体３０に分離体４０を備える点に特徴がある。
【００６１】
本実施形態８の照明器具は、図９に示すように、筐体３０を備え、該筐体３０は排気細
管５先端を最冷点部６とする無電極放電ランプ１を収納する。本実施形態８の分離体４０
は、最冷点部６と対向する支持板３６であり、貫通孔４１が、支持板３６の略中心部に設
けられている。支持板３６は、筒部３１の内径と等しくした直径を有する円板状に形成さ
れ、全周縁に亘って筒部３１の内面に当接されている。また、支持板３６右端部の下方へ
突出する短手部分が筒部３１に固定されている。そして、最冷点部６である排気細管５先
端は貫通孔４１に挿通されており、バルブ３が収納される空間と異なる空間に位置する。
つまり、最冷点部６はバルブ３より放射される光や熱から隔離されている。因って、最冷
点温度の上昇を抑制し、バルブ３内の水銀蒸気圧の上昇に伴う発光効率の低下を防ぐこと
ができる。また、実施形態３の通気部３５が、最冷点部６に対向する筒部３１の下端部中
心に設けられているので、より効果的に最冷点温度の上昇を抑制することができる。
【００６２】
（実施形態９）
本実施形態９は、基本的な構成が実施形態８と共通であるので、共通の構成要素には、
同一の符号を付して説明を省略する。
【００６３】
本実施形態９は、実施形態８の最冷点部６をネック部４ｂに変えた点に特徴がある。
【００６４】
本実施形態９の照明器具は、図１０に示すように、筐体３０を備え、該筐体３０は、ネ
ック部４ｂを最冷点部６とする無電極放電ランプ１を収納する。本実施形態９の分離体４
０は、筒部３１の内径と等しくした直径を有する円形板状に形成され、中心部には貫通孔
４１が設けられている。また、分離体４０は、反射体３２の下端部と口金１１上端部との
間に、最冷点部６に対向させて設けられ、全周縁に亘って筒部３１の内面に当接させて固
定されている。そして、最冷点部６であるネック部４ｂが、貫通孔４１に挿通されており
バルブ３が収納される空間と異なる空間に位置する。つまり、最冷点部６は、バルブ３よ
り放射される光や熱から隔離されている。因って、実施形態８と同様の効果が得られる。
【００６５】
（実施形態１０）
本実施形態１０は、基本的な構成が実施形態４と共通であるので、共通の構成要素には
同一の符号を付して説明を省略する。
【００６６】
本実施形態１０の照明器具は、実施形態４の筐体２内に、カプラ１０の誘導コイルに交
流電流を供給する点灯装置４２を備え、該点灯装置４２は、最冷点部６が位置する空間と
は異なる空間に設置される点に特徴がある。
【００６７】
本実施形態１０の照明器具は、図１１に示すように、筐体２を備え、該筐体２は、バル
ブ３頂部の突起部を最冷点部６とする無電極放電ランプ１を収納する。そして、点灯装置
４２は、反射鏡１３、カプラ１０、口金１１及び支持板１２を介して最冷点部６の位置す
る空間から離れた筐体２内部の右端部下方に設置される。因って、最冷点部６は、点灯装
置４２自身より放射される熱から隔離されており、最冷点温度の上昇を抑制しバルブ３内
の水銀蒸気圧の上昇に伴う発光効率の低下を抑えることができる。また、通気部１５及び
分離体４０を合わせて実施することで、より最冷点温度の低減効果が得られる。尚、上述
の点灯装置４２は、電線４３を介してカプラ１０の誘導コイルに接続されているが、電線
４３の長さを長くすれば、筐体２内部の上下方向に対する設置位置に限りはない。
【００６８】
（実施形態１１）
本実施形態１１は、基本的な構成が実施形態５と共通であるので、共通の構成要素には
同一の符号を付して説明を省略する。
【００６９】
本実施形態１１の照明器具は、実施形態５の筐体２内に、実施形態１０の点灯装置４２
を備える点に特徴がある。
【００７０】
本実施形態１１の照明器具は、図１２に示すように、筐体２を備え、該筐体２は、ネッ
ク部４ｂを最冷点部６とする無電極放電ランプ１を収納する。そして、点灯装置４２は、
反射鏡１３を介して、最冷点部６の位置する空間から離れた筐体２内部の左端部上方に設
置される。因って、実施形態１０と同様の効果が得られる。
【００７１】
（実施形態１２）
本実施形態１２は、基本的な構成が実施形態６と共通であるので、共通の構成要素には
同一の符号を付して説明を省略する。
【００７２】
本実施形態１２の照明器具は、実施形態６の筐体２内に、実施形態１０の点灯装置４２
備える点に特徴がある。
【００７３】
本実施形態１２の照明器具は、図１３に示すように、筐体２を備え、該筐体２は、排気
細管５先端を最冷点部６とする無電極放電ランプ１を収納する。そして、点灯装置４２は
分離体４０である支持板１２を介して、最冷点部６の位置する空間とは異なる空間である
筐体２内部の左端部上方に設置される。因って、実施形態１０乃至１１と同様の効果が得
られる。ところで、本実施形態１２は、実施形態６の分離体４０を介して、最冷点部６を
点灯装置４２の設置される空間から隔離しているが、分離体４０とは別の部材を新たに設
置してもよい。
【００７４】
（実施形態１３）
本実施形態１３は、基本的な構成が実施形態８と共通であるので、共通の構成要素には
同一の符号を付して説明を省略する。
【００７５】
本実施形態１３の照明器具は、実施形態８の筐体３０内に、実施形態１０の点灯装置４
２を備える点に特徴がある。
【００７６】
本実施形態１３の照明器具は、図１４に示すように、筐体３０を備え、該筐体３０は、
排気細管５先端を最冷点部６とする無電極放電ランプ１を収納する。そして、点灯装置４
２は、分離体４０である支持板３６を介して、最冷点部６の位置する空間とは異なる空間
である筒部３１内部の右上端部に設置される。因って、最冷点部６は、点灯装置４２自身
より放射される熱から隔離されており、最冷点温度の上昇を抑制しバルブ３内の水銀蒸気
圧の上昇に伴う発光効率の低下を抑えることができる。
【００７７】
（実施形態１４）
本実施形態１４は、基本的な構成が実施形態９と共通であるので、共通の構成要素には
同一の符号を付して説明を省略する。
【００７８】
本実施形態１４の照明器具は、実施形態９の筐体３０内に、実施形態１０の点灯装置４
２を備える点に特徴がある。
【００７９】
本実施形態１４の照明器具は、図１５に示すように、筐体３０を備え、該筐体３０は、
ネック部４ｂを最冷点部６とする無電極放電ランプ１を収納する。そして、点灯装置４２
は、分離体４０を介して最冷点部６の位置する空間とは異なる空間である筒部３１内部の
右上端部に設置される。因って、実施形態１３と同様の効果が得られる。
【００８０】
（実施形態１５）
本実施形態１５は、基本的な構成が実施形態４と共通であるので、共通の構成要素には
同一の符号を付して説明を省略する。
【００８１】
上述の通気部１５が設けられる場所は、筐体２内で最冷点部６が位置する空間であれば
何れの場所でもよかった。本実施形態１５の通気部１５は、最冷点部６と対向する場所に
設けられ、且つ最冷点部６は、通気部１５を介して、筐体２の外部に突出される点に特徴
がある。
【００８２】
本実施形態１５の照明器具は、図１６に示すように、筐体２を備え、該筐体２は、バル
ブ３頂部の突起部を最冷点部６とする無電極放電ランプ１を収納する。本実施形態１５の
通気部１５は、最冷点部６と対向する筐体２の左端部の略中央に設けられている。そして
、分離体４０である反射鏡１３の貫通孔４１に挿通される最冷点部６は、通気部１５を介
して筐体２の外部に突出される。因って、最冷点部６の位置する空間は筐体２の外部であ
り、無電極放電ランプ１を照明器具に収納せずに点灯させたときと等価の光束特性を得る
ことができる。尚、該筐体２は、通気部１５を有する左端部から支持板１２までの左右方
向寸法を、実施形態４で示した筐体２より短くすることで、最冷点部６を外部に突出させ
る。また、実施形態４の分離体４０及び貫通孔４１を用いれば、最冷点部６を通気部１５
から容易に突出可能である。
【００８３】
（実施形態１６）
本実施形態１６は、基本的な構成が実施形態６と共通であるので、共通の構成要素には
同一の符号を付して説明を省略する。
【００８４】
本実施形態１６の照明器具は、実施形態６の筐体２の通気部１５が、実施形態１５と同
様の、最冷点部６と対向する場所に設けられ、最冷点部６は、該通気部１５を介して筐体
２の外部に突出される点に特徴がある。
【００８５】
本実施形態１６の照明器具は、図１７に示すように、筐体２を備え、該筐体２は、排気
細管５先端を最冷点部６とする無電極放電ランプ１を収納する。本実施形態１６の通気部
１５は、最冷点部６と対向する筐体２の右端部の略中央に設けられている。そして、分離
体４０である支持板１２の貫通孔４１に挿通される最冷点部６は、通気部１５を介して筐
体２の外部に突出される。因って、実施形態１５と同様の効果が得られる。尚、該筐体２
は、通気部１５を有する右端部から支持板１２までの左右方向寸法を、実施形態６で示し
た筐体２より短くすることで、最冷点部６を外部に突出させる。
【００８６】
（実施形態１７）
本実施形態１７は、基本的な構成が実施形態８と共通であるので、共通の構成要素には
同一の符号を付して説明を省略する。
【００８７】
本実施形態１７の照明器具は、実施形態８の筐体３０の通気部３５が、実施形態１５と
同様の、最冷点部６と対向する場所に設けられ、最冷点部６は、該通気部３５を介して筐
体３０の外部に突出される点に特徴がある。
【００８８】
本実施形態１７の照明器具は、図１８に示すように、筐体３０を備え、該筐体３０は、
排気細管５先端を最冷点部６とする無電極放電ランプ１を収納する。本実施形態１７の通
気部３５は、最冷点部６と対向する筒部３１の下端部中央に設けられている。そして、分
離体４０である支持板３６の貫通孔４１に挿通される最冷点部６は、通気部３５を介して
筐体３０の外部に突出される。因って、最冷点部６の位置する空間は、筐体３０の外部で
あり、無電極放電ランプ１を照明器具に収納せずに点灯させたときと等価の光束特性を得
ることができる。尚、該筐体３０は筒部３１の下端部から支持板３６までの上下方向寸法
を、実施形態８で示した筐体３０より短くすることで、最冷点部６を外部に突出させる。
【図面の簡単な説明】
【００８９】
【図１】本発明の実施形態１の断面図である。
【図２】同上におけるネック部に最冷点部を有する断面図である。
【図３】本発明の実施形態２の斜視図である。
【図４】本発明の実施形態３の斜視図である。
【図５】本発明の実施形態４の断面図である。
【図６】本発明の実施形態５の断面図である。
【図７】本発明の実施形態６の断面図である。
【図８】本発明の実施形態７の断面図である。
【図９】本発明の実施形態８の断面図である。
【図１０】本発明の実施形態９の断面図である。
【図１１】本発明の実施形態１０の断面図である。
【図１２】本発明の実施形態１１の断面図である。
【図１３】本発明の実施形態１２の断面図である。
【図１４】本発明の実施形態１３の断面図である。
【図１５】本発明の実施形態１４の断面図である。
【図１６】本発明の実施形態１５の断面図である。
【図１７】本発明の実施形態１６の断面図である。
【図１８】本発明の実施形態１７の断面図である。
【符号の説明】
【００９０】
１  無電極放電ランプ
２  筐体
３  バルブ
６  最冷点部
１５  通気部
【図１】
2009301900.tif 000003
【図２】
2009301900.tif 000004
【図３】
2009301900.tif 000005
【図４】
2009301900.tif 000006
【図５】
2009301900.tif 000007
【図６】
2009301900.tif 000008
【図７】
2009301900.tif 000009
【図８】
2009301900.tif 000010
【図９】
2009301900.tif 000011
【図１０】
2009301900.tif 000012
【図１１】
2009301900.tif 000013
【図１２】
2009301900.tif 000014
【図１３】
2009301900.tif 000015
【図１４】
2009301900.tif 000016
【図１５】
2009301900.tif 000017
【図１６】
2009301900.tif 000018
【図１７】
2009301900.tif 000019
【図１８】
2009301900.tif 000020